Podtech/llm-jp-corpus-v4-ja_patent huggingface dataset:
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいてリールを仮停止させるリール演出であって、第１の図柄組合せが仮停止可能な第１の擬似遊技演出と、第２の図柄組合せが仮停止可能な第２の擬似遊技演出とを実行可能とし、
前記カウンタ値が第１の値であることに基づいて仮停止したリールを第１の位置に制御し、第２の値であることに基づいて仮停止したリールを第２の位置に制御することにより揺れ変動を実行可能とする、
ことを特徴とするスロットマシン。
【手続補正２】
【補正対象書類名】明細書
【補正対象項目名】０００６
【補正方法】変更
【補正の内容】
【０００６】
しかし、特許文献１には、リール演出を実行するときの最適な揺れ変動の制御についての記載はない。
【手続補正３】
【補正対象書類名】明細書
【補正対象項目名】０００７
【補正方法】変更
【補正の内容】
【０００７】
本発明は、上記問題点に鑑みてなされたものであり、リール演出を実行するとき、最適な揺れ変動の制御を実行できるスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいてリールを仮停止させるリール演出であって、第１の図柄組合せが仮停止可能な第１の擬似遊技演出と、第２の図柄組合せが仮停止可能な第２の擬似遊技演出とを実行可能とし、
前記カウンタ値が第１の値であることに基づいて仮停止したリールを第１の位置に制御し、第２の値であることに基づいて仮停止したリールを第２の位置に制御することにより揺れ変動を実行可能とする、ことを特徴とする。
【手続補正５】
【補正対象書類名】明細書
【補正対象項目名】０００９
【補正方法】変更
【補正の内容】
【０００９】
上述した発明によれば、リール演出を実行するとき、最適な揺れ変動の制御を実行できる。
【手続補正６】
【補正対象書類名】明細書
【補正対象項目名】００１０
【補正方法】変更
【補正の内容】
【００１０】
また、他の発明の揺動開始条件は、前記停止指示手段が操作されたことである、ことを特徴とする。
【手続補正７】
【補正対象書類名】明細書
【補正対象項目名】００１１
【補正方法】変更
【補正の内容】
【００１１】
上述した他の発明によれば、停止指示手段の操作に基づき、疑似停止したリールを揺動制御するので、揺動が開始するタイミングを明確に把握できる。
【手続補正８】
【補正対象書類名】明細書
【補正対象項目名】００１２
【補正方法】変更
【補正の内容】
【００１２】
また、他の発明の前記疑似遊技では、前記リールが回転しているとき、前記停止指示手段の操作に基づき対応するリールが疑似停止して揺動する、ことを特徴とする。
【手続補正９】
【補正対象書類名】明細書
【補正対象項目名】００１３
【補正方法】変更
【補正の内容】
【００１３】
以上のように、本発明のスロットマシンによれば、リール演出を実行するとき、最適な揺れ変動の制御を実行できる。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいてリールを仮停止させるリール演出であって、第１の図柄組合せが仮停止可能な第１の擬似遊技演出と、第２の図柄組合せが仮停止可能な第２の擬似遊技演出とを実行可能とし、
前記カウンタ値に基づいて、仮停止したリールの揺れ変動を実行可能とする、
ことを特徴とするスロットマシン。
【手続補正２】
【補正対象書類名】明細書
【補正対象項目名】０００６
【補正方法】変更
【補正の内容】
【０００６】
しかし、特許文献１には、リール演出を実行するときの最適な揺れ変動の制御についての記載はない。
【手続補正３】
【補正対象書類名】明細書
【補正対象項目名】０００７
【補正方法】変更
【補正の内容】
【０００７】
本発明は、上記問題点に鑑みてなされたものであり、リール演出を実行するとき、最適な揺れ変動の制御を実行できるスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいてリールを仮停止させるリール演出であって、第１の図柄組合せが仮停止可能な第１の擬似遊技演出と、第２の図柄組合せが仮停止可能な第２の擬似遊技演出とを実行可能とし、
前記カウンタ値に基づいて、仮停止したリールの揺れ変動を実行可能とする、
ことを特徴とする。
【手続補正５】
【補正対象書類名】明細書
【補正対象項目名】０００９
【補正方法】変更
【補正の内容】
【０００９】
上述した発明によれば、リール演出を実行するとき、最適な揺れ変動の制御を実行できる。
【手続補正６】
【補正対象書類名】明細書
【補正対象項目名】００１０
【補正方法】変更
【補正の内容】
【００１０】
以上のように、本発明のスロットマシンによれば、リール演出を実行するとき、最適な揺れ変動の制御を実行できる。
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
スタートスイッチと、
前記リールごとに設けられた複数のストップスイッチと、
遊技の進行を制御する主制御手段と、を備え、
前記主制御手段は、
抽選結果を選出する抽選手段を備え、
前記主制御手段は、
前記ストップスイッチが操作されたことにより、当該遊技の抽選結果に基づく態様で前記リールを停止させる通常遊技と、
前記ストップスイッチが操作されたことにより、当該遊技の抽選結果に基づかない態様で前記リールを仮停止させる疑似遊技演出と、
前記ストップスイッチの操作によらずに、当該遊技の抽選結果に基づかない態様で前記リールを仮停止させるリール演出と、を実行可能であり、
前記主制御手段は、前記スタートスイッチが操作されたことにより、前記疑似遊技演出を開始可能であり、
前記疑似遊技演出において特定の図柄組合せが仮停止した後、通常遊技を開始する場合と、
前記疑似遊技演出において前記特定の図柄組合せとは異なる図柄組合せが仮停止した後、前記リール演出を開始し、前記リール演出において前記特定の図柄組合せが仮停止する場合と、があり、
前記擬似遊技演出において、仮停止中は前記複数のリールを揺れ変動させる、
ことを特徴とするスロットマシン。
【手続補正２】
【補正対象書類名】明細書
【補正対象項目名】０００６
【補正方法】変更
【補正の内容】
【０００６】
しかし、特許文献１に記載された遊技機では、フリーズ状態における演出が多様でなかった。
【手続補正３】
【補正対象書類名】明細書
【補正対象項目名】０００７
【補正方法】変更
【補正の内容】
【０００７】
本発明は、上記問題点に鑑みてなされたものであり、フリーズ状態における演出を多様化できるスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、複数種類の図柄を表示した複数のリールと、
スタートスイッチと、
前記リールごとに設けられた複数のストップスイッチと、
遊技の進行を制御する主制御手段と、を備え、
前記主制御手段は、
抽選結果を選出する抽選手段を備え、
前記主制御手段は、
前記ストップスイッチが操作されたことにより、当該遊技の抽選結果に基づく態様で前記リールを停止させる通常遊技と、
前記ストップスイッチが操作されたことにより、当該遊技の抽選結果に基づかない態様で前記リールを仮停止させる疑似遊技演出と、
前記ストップスイッチの操作によらずに、当該遊技の抽選結果に基づかない態様で前記リールを仮停止させるリール演出と、を実行可能であり、
前記主制御手段は、前記スタートスイッチが操作されたことにより、前記疑似遊技演出を開始可能であり、
前記疑似遊技演出において特定の図柄組合せが仮停止した後、通常遊技を開始する場合と、
前記疑似遊技演出において前記特定の図柄組合せとは異なる図柄組合せが仮停止した後、前記リール演出を開始し、前記リール演出において前記特定の図柄組合せが仮停止する場合と、があり、
前記擬似遊技演出において、仮停止中は前記複数のリールを揺れ変動させる、
ことを特徴とする。
【手続補正５】
【補正対象書類名】明細書
【補正対象項目名】０００９
【補正方法】変更
【補正の内容】
【０００９】
上述した発明によれば、フリーズ状態における演出を多様化できる。
【手続補正６】
【補正対象書類名】明細書
【補正対象項目名】００１０
【補正方法】変更
【補正の内容】
【００１０】
以上のように、本発明のスロットマシンによれば、フリーズ状態における演出を多様化できる。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいて、リール演出としてリールを仮停止させることが可能な擬似遊技演出を実行可能とし、
前記カウンタ値に基づいて、仮停止したリールの揺れ変動を実行可能とする、
ことを特徴とするスロットマシン。
【手続補正２】
【補正対象書類名】明細書
【補正対象項目名】０００６
【補正方法】変更
【補正の内容】
【０００６】
しかし、特許文献１には、リール演出を実行するときの最適な揺れ変動の制御についての記載はない。
【手続補正３】
【補正対象書類名】明細書
【補正対象項目名】０００７
【補正方法】変更
【補正の内容】
【０００７】
本発明は、上記問題点に鑑みてなされたものであり、リール演出を実行するとき、最適な揺れ変動の制御を実行できるスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、複数種類の図柄が付された複数のリールと、
各リールに対応して設けられたストップスイッチと、
遊技の進行を制御する主制御手段と、を備え
前記主制御手段は、
役を決定する役抽選手段と、
所定時間ごとに更新されるカウンタ値を記憶する揺れ変動カウンタと、を備え、
前記主制御手段は、
前記ストップスイッチの操作に基づいて、リール演出としてリールを仮停止させることが可能な擬似遊技演出を実行可能とし、
前記カウンタ値に基づいて、仮停止したリールの揺れ変動を実行可能とする、
ことを特徴とする。
【手続補正５】
【補正対象書類名】明細書
【補正対象項目名】０００９
【補正方法】変更
【補正の内容】
【０００９】
上述した発明によれば、リール演出を実行するとき、最適な揺れ変動の制御を実行できる。
【手続補正６】
【補正対象書類名】明細書
【補正対象項目名】００１０
【補正方法】変更
【補正の内容】
【００１０】
また、他の発明は、前記リールに対応して設けられ、外部からの操作に応じて、対応するリールの回転の停止指示または疑似停止指示を行う複数の停止指示手段を、備え、
前記リール制御手段は、前記通常遊技状態から前記疑似遊技状態に移行したとき、前記停止指示手段の操作に基づき、疑似停止したリールを揺動制御する、ことを特徴とする。
【手続補正７】
【補正対象書類名】明細書
【補正対象項目名】００１１
【補正方法】変更
【補正の内容】
【００１１】
上述した他の発明によれば、停止指示手段の操作に基づき、疑似停止したリールを揺動制御するので、揺動が開始するタイミングを明確に把握できる。
【手続補正８】
【補正対象書類名】明細書
【補正対象項目名】００１２
【補正方法】変更
【補正の内容】
【００１２】
以上のように、本発明のスロットマシンによれば、リール演出を実行するとき、最適な揺れ変動の制御を実行できる。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
前記リールごとに設けられ、前記リールの変動を停止させるときに遊技者が操作するストップスイッチと、
抽選結果を選出する抽選手段と、
遊技の進行を制御する主制御手段と、を備え、
前記主制御手段は、
前記ストップスイッチが操作されたときに、前記抽選手段による前記抽選結果に基づいて、前記リールが停止する通常遊技と、
前記ストップスイッチが操作されたときに、前記リールが疑似停止する疑似遊技演出と、
前記ストップスイッチの操作によらず、前記リールが仮停止するリール演出と、を実行可能であり、
前記疑似遊技演出において特定の図柄組合せが揃った後、通常遊技を行う場合と、
前記疑似遊技演出において前記特定の図柄組合せが揃わなかった後、前記リール演出において前記特定の図柄組合せが揃う場合と、がある、
ことを特徴とするスロットマシン。
【手続補正２】
【補正対象書類名】明細書
【補正対象項目名】０００６
【補正方法】変更
【補正の内容】
【０００６】
しかし、特許文献１に記載された遊技機では、疑似遊技による演出が多様でなかった。
【手続補正３】
【補正対象書類名】明細書
【補正対象項目名】０００７
【補正方法】変更
【補正の内容】
【０００７】
本発明は、上記問題点に鑑みてなされたものであり、疑似遊技による演出を多様化できるスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、複数種類の図柄を表示した複数のリールと、
前記リールごとに設けられ、前記リールの変動を停止させるときに遊技者が操作するストップスイッチと、
抽選結果を選出する抽選手段と、
遊技の進行を制御する主制御手段と、を備え、
前記主制御手段は、
前記ストップスイッチが操作されたときに、前記抽選手段による前記抽選結果に基づいて、前記リールが停止する通常遊技と、
前記ストップスイッチが操作されたときに、前記リールが疑似停止する疑似遊技演出と、
前記ストップスイッチの操作によらず、前記リールが仮停止するリール演出と、を実行可能であり、
前記疑似遊技演出において特定の図柄組合せが揃った後、通常遊技を行う場合と、
前記疑似遊技演出において前記特定の図柄組合せが揃わなかった後、前記リール演出において前記特定の図柄組合せが揃う場合と、がある、
ことを特徴とする。
【手続補正５】
【補正対象書類名】明細書
【補正対象項目名】０００９
【補正方法】変更
【補正の内容】
【０００９】
上述した発明によれば、疑似遊技による演出を多様化できる。
【手続補正６】
【補正対象書類名】明細書
【補正対象項目名】００１０
【補正方法】変更
【補正の内容】
【００１０】
以上のように、本発明のスロットマシンによれば、疑似遊技による演出を多様化できる。
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
養液を循環して植物体を栽培する水耕栽培装置であって、
前記養液を蓄える栽培槽と、
前記植物体を支持する支持部と、
前記栽培槽に前記養液を供給する養液供給部と、
前記栽培槽から前記養液を排出する養液排出部と、
前記植物体に萌芽促進剤を供給する萌芽促進剤供給部と
を備え、
前記萌芽促進剤供給部は、前記支持部のうち少なくとも前記植物体と接する部位に前記萌芽促進剤を含有させるように構成されていることを特徴とする水耕栽培装置。
【請求項２】
養液を循環して植物体を栽培する水耕栽培装置であって、
前記養液を蓄える栽培槽と、
前記植物体を支持する支持部と、
前記栽培槽に前記養液を供給する養液供給部と、
前記栽培槽から前記養液を排出する養液排出部と、
前記植物体に萌芽促進剤を供給する萌芽促進剤供給部と
を備え、
前記萌芽促進剤供給部は、前記萌芽促進剤を含有した部材であって、前記植物体の芽に前記萌芽促進剤を供給し、
前記萌芽促進剤供給部の高さを調整する高さ調整部をさらに備えることを特徴とする水耕栽培装置。
【請求項３】
前記萌芽促進剤は、植物ホルモンを含むことを特徴とする請求項１または２に記載の水耕栽培装置。
【請求項４】
養液を循環して植物体を栽培する水耕栽培方法であって、
前記植物体としての多年生植物が休眠状態となる休眠期間に、当該多年生植物に前記養液だけでなく萌芽促進剤供給部によって萌芽促進剤も供給し、
前記萌芽促進剤供給部は、前記多年生植物を支持する支持部のうち少なくとも前記多年生植物と接する部位に前記萌芽促進剤を含有させるように構成されていることを特徴とする水耕栽培方法。
【請求項５】
養液を循環して植物体を栽培する水耕栽培方法であって、
前記植物体としての多年生植物が休眠状態となる休眠期間に、当該多年生植物に前記養液だけでなく萌芽促進剤供給部によって萌芽促進剤も供給し、
前記萌芽促進剤供給部は、前記萌芽促進剤を含有した部材であり、
高さ調整部によって前記部材の高さを調整することにより、前記多年生植物の芽に前記萌芽促進剤を供給することを特徴とする水耕栽培方法。
【請求項６】
前記萌芽促進剤は、植物ホルモンを含むことを特徴とする請求項４または５に記載の水耕栽培方法。
【手続補正２】
【補正対象書類名】明細書
【補正対象項目名】０００９
【補正方法】変更
【補正の内容】
【０００９】
本発明の第１の態様に係る水耕栽培装置は、養液を循環して植物体を栽培する水耕栽培装置であって、前記養液を蓄える栽培槽と、前記植物体を支持する支持部と、前記栽培槽に前記養液を供給する養液供給部と、前記栽培槽から前記養液を排出する養液排出部と、前記植物体に萌芽促進剤を供給する萌芽促進剤供給部とを備え、前記萌芽促進剤供給部は、前記支持部のうち少なくとも前記植物体と接する部位に前記萌芽促進剤を含有させるように構成されていることを特徴とする。
本発明の第２の態様に係る水耕栽培装置は、養液を循環して植物体を栽培する水耕栽培装置であって、前記養液を蓄える栽培槽と、前記植物体を支持する支持部と、前記栽培槽に前記養液を供給する養液供給部と、前記栽培槽から前記養液を排出する養液排出部と、前記植物体に萌芽促進剤を供給する萌芽促進剤供給部とを備え、前記萌芽促進剤供給部は、前記萌芽促進剤を含有した部材であって、前記植物体の芽に前記萌芽促進剤を供給し、前記萌芽促進剤供給部の高さを調整する高さ調整部をさらに備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明の第３の態様に係る水耕栽培装置は、上記第１または２の態様の水耕栽培装置であって、前記萌芽促進剤は、植物ホルモンを含むことを特徴とする。
【手続補正１１】
【補正対象書類名】明細書
【補正対象項目名】００１８
【補正方法】変更
【補正の内容】
【００１８】
本発明の第４の態様に係る水耕栽培方法は、養液を循環して植物体を栽培する水耕栽培方法であって、前記植物体としての多年生植物が休眠状態となる休眠期間に、当該多年生植物に前記養液だけでなく萌芽促進剤供給部によって萌芽促進剤も供給し、前記萌芽促進剤供給部は、前記多年生植物を支持する支持部のうち少なくとも前記多年生植物と接する部位に前記萌芽促進剤を含有させるように構成されていることを特徴とする。
本発明の第５の態様に係る水耕栽培方法は、養液を循環して植物体を栽培する水耕栽培方法であって、前記植物体としての多年生植物が休眠状態となる休眠期間に、当該多年生植物に前記養液だけでなく萌芽促進剤供給部によって萌芽促進剤も供給し、前記萌芽促進剤供給部は、前記萌芽促進剤を含有した部材であり、高さ調整部によって前記部材の高さを調整することにより、前記多年生植物の芽に前記萌芽促進剤を供給することを特徴とする。
【手続補正１２】
【補正対象書類名】明細書
【補正対象項目名】００１９
【補正方法】変更
【補正の内容】
【００１９】
本発明の第６の態様に係る水耕栽培方法は、上記第４または５の態様の水耕栽培方法であって、前記萌芽促進剤は、植物ホルモンを含むことを特徴とする。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
複数のＬＤチップを搭載する光アセンブリであって、
前記複数のＬＤチップのそれぞれはブロックの主面上に搭載されており、
前記ブロック上には、前記複数のＬＤチップから出射される複数のレーザ光に対する複数のレンズであって、前記複数のレーザ光のそれぞれを実質的にコリメート光に変換する焦点距離が５ｍｍ未満である前記複数のレンズが搭載されており、
前記複数のレンズにより実質的にコリメート光に変換された前記複数のレーザ光を一本の合波光に合波する複数の波長選択性フィルタを有し、
前記複数のレンズ及び前記複数の波長選択性フィルタは、前記ブロック上において前記主面と段差のない一の面に直接搭載されており、
前記複数の波長選択性フィルタは、それぞれが個別に光軸調整された状態で、前記ブロックの前記一の面に直接搭載されており、
前記複数の波長選択性フィルタによって合波されている前記複数のＬＤチップのそれぞれのレーザ光の光軸は、前記合波光の光軸方向において前記ブロックの端面から略１メートル先において一致している、
光アセンブリ。
【請求項２】
前記複数のＬＤチップのそれぞれは、前記複数のＬＤチップのそれぞれに対応するサブマウントを介して前記ブロック上に搭載されている、請求項１に記載の光アセンブリ。
【請求項３】
前記複数のＬＤチップは、赤、緑、及び青に対応する波長のレーザ光を出射する、請求項１又は２に記載の光アセンブリ。
【請求項４】
前記複数のレンズは、ベース上に搭載されている、請求項１〜３の何れか一項に記載の光アセンブリ。
【請求項５】
前記ベースは、ガラス製であり、前記レンズの固定位置を示す構造を有する、請求項４に記載の光アセンブリ。
【請求項６】
前記構造は、前記ベースの主面に形成された複数の凹部である、請求項５に記載の光アセンブリ。
【請求項７】
前記ブロックは、前記ベースを収容する凹部を有する、請求項４〜６の何れか一項に記載の光アセンブリ。
【請求項８】
前記ブロックの凹部の深さは、前記ベースの厚みと同じである、請求項４〜７の何れか一項に記載の光アセンブリ。
【請求項９】
前記複数のＬＤチップは、前記複数のＬＤチップの一のＬＤチップの光出射方向と他のＬＤチップの光出射方向とが９０度を成すように、前記ブロック上に搭載されている、請求項１〜８の何れか一項に記載の光アセンブリ。
【請求項１０】
前記複数のレンズのそれぞれは、球レンズである、請求項１〜９の何れか一項に記載の光アセンブリ。
【手続補正書】
【提出日】平成27年7月13日(2015.7.13)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
プラスチック基板上に、ＥＬ素子と、第１のトランジスタと、第２のトランジスタと、容量と、を有する画素を有し、
前記プラスチック基板と対向する、プラスチック材でなるカバー材を有し、
前記第１のトランジスタのソースまたはドレインの一方は、第１の配線と電気的に接続され、
前記第１のトランジスタのゲートは、第２の配線と電気的に接続され、
前記第２のトランジスタのソースまたはドレインの一方は、前記ＥＬ素子と電気的に接続され、
前記第２のトランジスタのソースまたはドレインの他方は、第３の配線と電気的に接続され、
前記第１のトランジスタは、第１の半導体領域と、前記第１の半導体領域上の第１の絶縁膜と、前記第１の絶縁膜上の前記ゲートとを有し、
前記第１の半導体領域は、第２の半導体領域と同一の半導体層に含まれ、
前記第２の半導体領域は、前記第１の絶縁膜を間に挟んで、第１の導電膜と重なる領域を有し、
前記第１の導電膜は、前記容量の一方の端子として機能し、
前記第１の導電膜は、前記第３の配線と直接接続され、
前記第１の配線は、第１の方向に延びており、
前記第２の配線は、第２の方向に延びており、
前記第３の配線は、前記第１の方向に沿うように延びる部分を有し、
前記第１の導電膜は、前記第２の方向に沿うように延びる部分を有することを特徴とする半導体装置。
【請求項２】
請求項１において、
前記半導体層は、多結晶半導体であることを特徴とする半導体装置。
【請求項３】
請求項１又は請求項２において、
前記ゲート電極は、モリブデンを有することを特徴とする半導体装置。
【請求項４】
請求項１乃至請求項３のいずれか一において、
前記第１の導電膜は、モリブデンを有することを特徴とする半導体装置。
【請求項５】
請求項１乃至請求項４のいずれか一において、
前記第１の配線はソース配線であり、前記第２の配線はゲート配線であることを特徴とする半導体装置。
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
絶縁層と、導電層とを含む、ＫＥＣ法における周波数１ＧＨｚでの電磁波シールド性が４０〜９０ｄＢである電磁波シールド性フィルムであって、
ポリイミドフィルムに対する接着力が２Ｎ／ｃｍ以上であり、かつ
前記導電層が、レーザー回折法により測定した５０％粒子径が１μｍ以上、２０μｍ以下であり、かさ密度が０．２ｇ／ｃｍ3以上、０．７ｇ／ｃｍ3以下であるフレーク状銀粉を含む電磁波シールド性フィルム。
【請求項２】
フレーク状銀粉のレーザー回折法により測定した５０％粒子径が、導電層の厚さより大きいことを特徴とする請求項１記載の電磁波シールドフィルム。
【請求項３】
請求項１または２に記載された電磁波シールド性フィルムを備える配線板。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
筐体の上部に、前後方向に沿って山状に湾曲隆起する、体の一部を載せて体を伸ばすためのストレッチ部を配設してなるストレッチ用マットであって、
前記ストレッチ部は、筐体上に載置されたエアーバッグを備え、エアーバッグがしぼんで扁平となって筐体の上面に倣った湾曲形状となる弱湾曲状態と、エアーバッグが膨らんで弱湾曲状態よりも湾曲が強くなる強湾曲状態とに変換可能となっており、
前記筐体の内部には、エアーバッグに空気を供給する給気手段と、エアーバッグから空気を排出する排気手段と、給気手段と排気手段の作動を制御するエアー制御手段とが配設されており、
エアー制御手段は、弱湾曲状態のストレッチ部に対して、給気手段によってエアーバッグに空気を供給し、時間をかけてストレッチ部を弱湾曲状態から強湾曲状態に変換し、その後、給気手段による空気の供給を停止して、ストレッチ部の強湾曲状態を維持するストレッチ制御処理を実行することを特徴とするストレッチ用マット。
【請求項２】
エアー制御手段は、前記ストレッチ制御処理では、ストレッチ部の強湾曲状態を所定時間維持した後に、排気手段によってエアーバッグの空気を排出して、ストレッチ部を強湾曲状態から弱湾曲状態に変換することを特徴とする請求項１に記載のストレッチ用マット。
【請求項３】
筐体の側面に配設されて、エアー制御手段に前記ストレッチ制御処理を開始させるための操作スイッチを備え、
エアー制御手段は、操作スイッチによってストレッチ制御処理を開始させるための操作が為された後に、５秒〜６０秒が経過してからストレッチ制御処理を開始することを特徴とする請求項１又は請求項２に記載のストレッチ用マット。
【請求項４】
エアー制御手段は、前記ストレッチ制御処理では、給気手段がエアーバッグに供給する空気の量を制御することで、ストレッチ部の湾曲度合いの異なる複数の強湾曲状態に制御し得るよう構成されていることを特徴とする請求項１乃至請求項３のいずれか１項に記載のストレッチ用マット。
【請求項５】
筐体の上面には、ストレッチ部の前方と後方の少なくとも一方に、ストレッチ部に載せる部分とは別に、体の一部を載せて体の位置を保持するための保持部が設けられており、
筐体内部には、筐体を振動させる振動手段と、該振動手段の作動を制御する振動制御手段とが配設されており、
振動制御手段は、前記ストレッチ制御処理中に、振動手段を作動させるものであることを特徴とする請求項１乃至請求項４のいずれか１項に記載のストレッチ用マット。
【請求項６】
前記エアーバッグは、しぼむと扁平となり、空気が流入すると、厚み方向に膨らむよう構成されたものであり、その外周部を上から押さえ付けられることによって筐体の上面に固定されていることを特徴とする請求項１乃至請求項５のいずれか１項に記載のストレッチ用マット。
【請求項７】
前記エアーバッグは、空気の給気・排気を行うための通気口を端部に備えており、
該通気口は、前記筐体の上部に形成されたスリットから前記筐体の内部に挿入され、前記筐体の内部で、前記給気手段及び前記排気手段と、エアチューブを介して連通していることを特徴とする請求項１乃至請求項６のいずれか１項に記載のストレッチ用マット。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
第１のリフレクタと、
一部に傾斜面を有する第２のリフレクタと、
前記第１及び第２のリフレクタの間に配置された少なくとも１つの光源モジュールと、
前記第２のリフレクタに配置された少なくとも１つの反射構造物と
を備えるディスプレイ装置。
【請求項２】
前記第２のリフレクタの傾斜面は前記第１のリフレクタの表面に対して一定角度だけ傾斜した面を有する、請求項１に記載のディスプレイ装置。
【請求項３】
前記傾斜面は凹面、凸面、平面のうちの少なくとも１つである、請求項１又は２に記載のディスプレイ装置。
【請求項４】
前記第２のリフレクタは少なくとも１つの平面をさらに有し、前記第２のリフレクタの平面は前記第１のリフレクタと平行な面であり、前記反射構造物は、前記第２のリフレクタの傾斜面及び平面のうちの少なくとも１つの面に配置された、請求項１乃至３のうちのいずれかに記載のディスプレイ装置。
【請求項５】
前記第２のリフレクタから一定間隔だけ空間を置いて配置された光学部材をさらに備え、前記第２のリフレクタと前記光学部材との間の空間にはエアガイドが形成されている、請求項１乃至４のいずれかに記載のディスプレイ装置。
【請求項６】
前記反射構造物は、前記第１のリフレクタから水平に延長される水平延長線と第２のリフレクタとの間に位置する、請求項１乃至５のいずれかに記載のディスプレイ装置。
【請求項７】
前記反射構造物は、
光を反射させる反射部と、
前記反射部を支持する支持部と
を備える、請求項１乃至５のいずれかに記載のディスプレイ装置。
【請求項８】
前記反射部は前記光源モジュールと同一線上に位置する、請求項７に記載のディスプレイ装置。
【請求項９】
前記反射部は、前記光源モジュールと同一方向に配列されるストライプ状又はドット状である、請求項７に記載のディスプレイ装置。
【請求項１０】
前記反射部は多数の突起又は多数の溝を有する、請求項７に記載のディスプレイ装置。
【請求項１１】
互いに隣接する前記多数の突起又は多数の溝は並んで配列されている、請求項１０に記載のディスプレイ装置。
【請求項１２】
互いに隣接する前記多数の突起又は多数の溝は交互に配列されている、請求項１０に記載のディスプレイ装置。
【請求項１３】
前記反射部は、
コアと、
前記コアの全体又は一部を取り囲む反射層と
を備える、請求項７に記載のディスプレイ装置。
【請求項１４】
前記反射層は同一の反射率を有する一つの反射物質からなる、請求項１３に記載のディスプレイ装置。
【請求項１５】
前記反射層は互いに異なる反射率を有する多数の反射物質からなる、請求項１３に記載のディスプレイ装置。
【請求項１６】
前記反射層は、前記コアの表面から突出する、又は前記コアの表面内に挿入されている、請求項１５に記載のディスプレイ装置。
【請求項１７】
前記支持部は下部が上部より厚い、請求項７に記載のディスプレイ装置。
【請求項１８】
前記支持部の最大幅は、前記反射部の最大幅と同一であるか、又は前記反射部の最大幅より大きい、請求項７に記載のディスプレイ装置。
【請求項１９】
前記支持部の最大高さは、前記反射部の最大高さと同一であるか、又は前記反射部の最大高さより大きい、請求項７に記載のディスプレイ装置。
【請求項２０】
前記反射部と前記支持部は結合部材によって結合されている、請求項７に記載のディスプレイ装置。
【請求項２１】
前記結合部材は、前記支持部の上部面に付着されて前記反射部の下部面を支持する板状、前記支持部の上部面に付着されて前記反射部の周囲を取り囲むリング状、前記支持部の上部面に付着されて前記反射部の溝内に挿入される突出形状のうちのいずれか１つである、請求項２０に記載のディスプレイ装置。
【請求項２２】
前記反射部と前記支持部は１対１の比率で対応して配置される、又は１対多数の比率で対応して配置されている、請求項７に記載のディスプレイ装置。
【請求項２３】
前記反射構造物は前記光学部材から第１の間隔だけ離隔して配置されている、請求項５に記載のディスプレイ装置。
【請求項２４】
前記第１の間隔は前記第１のリフレクタの厚さより大きい、請求項２３に記載のディスプレイ装置。
【請求項２５】
前記光源モジュールは、
基板と、
前記基板上に配置された光源と
を備え、
前記反射部は、前記基板の厚さ方向に前記光源と同一線上に配置されている、請求項７に記載のディスプレイ装置。
【請求項２６】
前記光学部材を支持する支持フレームをさらに含む、請求項５に記載のディスプレイ装置。
【請求項２７】
前記反射構造物は、前記支持部の上部面を前記反射部と結合させる結合部材をさらに含む、請求項７に記載のディスプレイ装置。
【請求項２８】
ディスプレイパネルをさらに含む、請求項１乃至２７のいずれかに記載のディスプレイ装置。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
第１の溝を有する導光板と、
前記第１の溝に配置された光源モジュールと、
前記第１の溝に対応して配置された第２の溝を有するボトムシャーシと、
前記ボトムシャーシの第２の溝に配置され、前記光源モジュールとボトムシャーシとの間に配置された弾性部材と
を備える照明システム。
【請求項２】
前記弾性部材は、
前記第２の溝の底面上に配置された下部板と、
前記光源モジュールの下側に配置された上部板と、
前記下部板と上部板の端を連結し、曲面を有する連結部と
を備える、請求項１に記載の照明システム。
【請求項３】
前記弾性部材は熱伝導性非発泡弾性体である、請求項１又は２に記載の照明システム。
【請求項４】
前記弾性部材は、
前記第２の溝の底面に形成された熱伝導性非発泡弾性接着剤と、
前記熱伝導性非発泡弾性接着剤上に形成され、前記第２の溝内に配置された熱伝導性非発泡弾性体と
を備える、請求項１乃至請求項３のいずれかに記載の照明システム。
【請求項５】
前記弾性部材は、
前記第２の溝の底面に形成された第１の熱伝導性非発泡弾性接着剤と、
前記第１熱伝導性非発泡弾性接着剤上に形成され、前記第２の溝内に配置された熱伝導性非発泡弾性体と、
前記熱伝導性非発泡弾性体上に形成され、前記第２の溝内に配置された第２の熱伝導性非発泡弾性接着剤と、
前記第２の熱伝導性非発泡弾性接着剤上に形成され、前記第２の溝の外部に配置された金属板と
を備える、請求項１乃至請求項４のいずれかに記載の照明システム。
【請求項６】
前記弾性部材は、
前記光源モジュールの下側に配置された放熱板と、
前記放熱板の下側に配置され、前記第２の溝の底面上に配置された金属弾性体と
を備える、請求項１乃至請求項５のいずれかに記載の照明システム。
【請求項７】
前記放熱板の幅は前記光源モジュールの幅と同一である、請求項６に記載の照明システム。
【請求項８】
前記放熱板の上部面は、前記光源モジュールの下側に配置され、前記第２の溝の外部に位置する、請求項６又は７に記載の照明システム。
【請求項９】
前記放熱板の上部面と前記光源モジュールの下部面は、平面又は傾斜面であって、互いに接触する、請求項６乃至請求項８のいずれかに記載の照明システム。
【請求項１０】
前記放熱板の上部面と前記光源モジュールの下部面は、凹凸パターンを有する平面又は傾斜面であって、互いに接触する、請求項６乃至請求項９のいずれかに記載の照明システム。
【請求項１１】
前記放熱板の上部面と前記光源モジュールの下部面は、一部表面に凹凸パターンを有する平面又は傾斜面であって、前記凹凸パターンは、前記光源モジュールの光源に対応するように配置されている、請求項６乃至請求項１０のいずれかに記載の照明システム。
【請求項１２】
前記放熱板の下部面には少なくとも１つの第３の溝が形成され、前記金属弾性体は前記第３の溝の底面と前記第２の溝の底面に接触する、請求項６乃至請求項１１のいずれかに記載の照明システム。
【請求項１３】
前記金属弾性体はスプリングである、請求項６又は１２に記載の照明システム。
【請求項１４】
前記金属板と前記第２の熱伝導性非発泡弾性接着剤との間に形成され、前記第２の溝内に配置されている熱伝導性ポリマーフィルムをさらに備える、請求項５に記載の照明システム。
【請求項１５】
前記下部板の厚さは前記上部板の厚さと異なる、請求項２に記載の照明システム。
【請求項１６】
前記連結部は前記下部板及び上部板と異なる物質である、請求項２又は１５に記載の照明システム。
【請求項１７】
前記弾性部材の高さは、前記第２の溝の高さより高いか、又は前記第２の溝の高さと同一である、請求項１乃至請求項１６のいずれかに記載の照明システム。
【請求項１８】
前記弾性部材の幅は前記第２の溝の幅より小さい、請求項１乃至請求項１７のいずれかに記載の照明システム。
【請求項１９】
前記第２の溝の幅は前記光源モジュールの幅より小さい、請求項１乃至請求項１８のいずれかに記載の照明システム。
【請求項２０】
前記第２の溝の幅は前記光源モジュールの幅より大きい、請求項１乃至請求項１９のいずれかに記載の照明システム。
【請求項２１】
前記光源モジュールは、基板と、前記基板上に配列された少なくとも１つの光源とを備え、前記基板は前記第１の溝の外部に突出する、請求項１乃至請求項２０のいずれかに記載の照明システム。
【請求項２２】
前記導光板と前記ボトムシャーシは互いに離隔して配置され、前記第１の溝と前記第２の溝は互いに重畳されている、請求項１乃至請求項２１のいずれかに記載の照明システム。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
第１、第２溝を有する導光板と、
前記第２溝に配置された光源モジュールと
を備え、
前記第１溝は前記導光板の上部に形成され、前記第２溝は前記導光板の下部に形成され、
前記第１溝は、前記光源モジュールの光源の間に対応して配置されている照明システム。
【請求項２】
前記第１溝の一端は、前記第２溝の側面から延びる延長線上に位置する、請求項１に記載の照明システム。
【請求項３】
前記第１溝の一端は、前記第２溝の側面から延びる延長線上に対して一定間隔を置いて位置する、請求項１又は２に記載の照明システム。
【請求項４】
前記第１溝と前記第２溝とは、一部分が重なり合う、請求項１乃至３のいずれかに記載の照明システム。
【請求項５】
前記第１溝の断面は、一点で会う第１傾斜面及び第２傾斜面を含む、請求項１乃至４のいずれかに記載の照明システム。
【請求項６】
前記第１溝の断面は、第１傾斜面と第２傾斜面を有し、
前記第１、第２傾斜面の間に前記導光板の上部面と平行な平面が配置されている、請求項１乃至５のいずれかに記載の照明システム。
【請求項７】
前記第１溝の深さ値は０．１〜０．５ｍｍである、請求項１乃至６のいずれかに記載の照明システム。
【請求項８】
前記第１溝の最大深さ値は、前記導光板の上部面から前記第２溝までの距離値より小さい、請求項１乃至７のいずれかに記載の照明システム。
【請求項９】
前記第１溝の長さは、第１方向に沿う前記第１溝の両端の間の距離であり、前記第１溝の幅は、前記第１方向と垂直な第２方向に沿う前記第１溝の両端の間の距離であり、前記第１溝の長さと幅は、前記光源モジュールの光源の間の距離より小さい、請求項１乃至８のいずれかに記載の照明システム。
【請求項１０】
前記第１溝の長さは３〜７ｍｍであり、前記第１溝の幅は１〜４ｍｍである、請求項１乃至９のいずれかに記載の照明システム。
【請求項１１】
前記第１傾斜面は、第１曲率を有する凹んだ曲面であり、前記第２傾斜面は、第２曲率を有する凹んだ曲面であり、前記第１曲率と前記第２曲率は互いに異なる、請求項５に記載の照明システム。
【請求項１２】
前記第１傾斜面は、前記導光板の上部面に対して第１角度で傾斜した平面であり、前記第２傾斜面は、前記導光板の上部面に対して第２角度で傾斜した平面であり、前記第１角度と第２角度は互いに異なる、請求項５又は１１に記載の照明システム。
【請求項１３】
前記第１、第２傾斜面のいずれか一方は、所定曲率を有する凹んだ曲面であり、いずれか他方は、前記導光板の上部面に対して所定角度で傾斜した平面である、請求項５、１１及び１２のいずれかに記載の照明システム。
【請求項１４】
前記第２溝は、底面と、前記底面の両側において相対する第１、第２側面とを有し、
前記第１側面は前記底面に垂直であり、前記第２側面は前記底面に対して傾斜する、請求項１乃至１３のいずれかに記載の照明システム。
【請求項１５】
前記第２溝は、底面と、前記底面の両側において相対する第１、第２側面とを備え、
前記第１、第２側面は、前記底面に対して傾斜し、前記第１側面と底面との傾斜角は、前記第２側面と底面との傾斜角より小さい、請求項１乃至１４のいずれかに記載の照明システム。
【請求項１６】
前記第２溝は、相対する第１、第２側面を有し、前記第１、第２側面の一端は互いに接触し、前記接触する第１、第２側面間の角度は、３０〜１２０°である、請求項１乃至１５のいずれかに記載の照明システム。
【請求項１７】
前記第２溝の高さと前記導光板の厚さとの比は、０．３〜０．７：１である、請求項１乃至１６のいずれかに記載の照明システム。
【請求項１８】
前記導光板は、互いに隣接する前記第１溝の間に配置される第３溝をさらに有する、請求項１乃至１７のいずれかに記載の照明システム。
【請求項１９】
前記第３溝は、前記光源モジュールの各光源に対応して配置されている、請求項１８に記載の照明システム。
【請求項２０】
前記第３溝の幅は、前記第１溝の幅よりも小さい、請求項１８又は１９に記載の照明システム。
【請求項２１】
前記第３溝の長さは、前記第１溝の長さより小さい、請求項１８乃至２０のいずれかに記載の照明システム。
【請求項２２】
前記第３溝の深さは、前記第１溝の深さより小さい、請求項１８乃至２１のいずれかに記載の照明システム。
【請求項２３】
前記第３溝と第１溝の深さの比は、１：１．５〜３である、請求項１８乃至２２のいずれかに記載の照明システム。
【請求項２４】
前記第３溝は、前記第２溝の一側から一定間隔離れて配置されている、請求項１８乃至２３のいずれかに記載の照明システム。
【請求項２５】
前記第３溝の長さは、前記光源モジュールの各光源の長さより大きい、請求項１８乃至２４のいずれかに記載の照明システム。
【請求項２６】
前記第１溝と前記光源モジュールの光源とが重ならない、請求項１乃至２５のいずれかに記載の照明システム。
【請求項２７】
前記第１溝は、前記光源モジュールの光源が配置される第１方向に配置され、
前記第１溝は、複数存在し、
複数の前記第１溝のうち、隣接した溝同士は第１間隔だけ離れており、
複数の前記第１溝のそれぞれは、隣接した前記光源の間に配置されている、請求項２４乃至２６のいずれかに記載の照明システム。
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
半導体構造を形成する方法において、
半導体基板の上方に複数のヒューズを形成する工程と、
前記半導体基板の上方の複数の相互接続層と、該複数の相互接続層の上面の複数の相互接続パッドとを形成する工程と、
シールリングを形成する工程であって、該シールリングは、前記半導体基板と、前記複数の相互接続パッドと、前記複数のヒューズとに形成された能動回路を包囲しており、前記複数のヒューズの各ヒューズは、前記複数の相互接続パッドの対応する相互接続パッドと前記シールリングとに電気的に接続されており、前記複数のヒューズの各ヒューズが導通状態にあるとき、該ヒューズは対応する相互接続パッドを前記シールリングに電気的に接続する、前記工程と、を備える方法。
【請求項２】
半導体構造を形成する方法において、
半導体基板の上方に複数のヒューズを形成する工程と、
前記半導体基板の上方の複数の相互接続層と、該複数の相互接続層の上面の複数の相互接続パッドとを形成する工程と、
シールリングを形成する工程であって、該シールリングは、前記半導体基板と、前記複数の相互接続パッドと、前記複数のヒューズとに形成された能動回路を包囲しており、前記複数のヒューズの各ヒューズは、前記複数の相互接続パッドの対応する相互接続パッドと前記シールリングとに電気的に接続されており、前記複数のヒューズの各ヒューズが導通状態にあるとき、該ヒューズは対応する相互接続パッドを前記シールリングに電気的に接続する、前記工程と、
前記複数のヒューズの各ヒューズが導通状態にあるときに、前記シールリングを通じて、また前記複数のヒューズの各々を通じて前記複数の相互接続パッドの各々に電流を提供し、前記複数の相互接続パッドの各々の上に導体層を電気めっきする電気めっき工程と、を備える方法。
【請求項３】
半導体構造を形成する方法において、
半導体基板の上方に複数のヒューズを形成する工程と、
前記半導体基板の上方の複数の相互接続層と、該複数の相互接続層の上面の複数の相互接続パッドとを形成する工程と、
シールリングを形成する工程であって、該シールリングは、前記半導体基板と、前記複数の相互接続パッドと、前記複数のヒューズとに形成された能動回路を包囲しており、前記複数のヒューズの各ヒューズは、前記複数の相互接続パッドの対応する相互接続パッドと前記シールリングとに電気的に接続されており、前記複数のヒューズの各ヒューズが導通状態にあるとき、該ヒューズは対応する相互接続パッドを前記シールリングに電気的に接続する、前記工程と、
前記複数のヒューズの各ヒューズが導通状態にあるときに、前記シールリングを通じて、また前記複数のヒューズの各々を通じて前記複数の相互接続パッドの各々に電流を提供し、前記複数の相互接続パッドの各々の上に導体層を電気めっきする電気めっき工程と、
前記電気めっき工程の後、前記複数の相互接続パッドの１つ以上からなるサブセットを通じて電流を提供し、前記複数の相互接続パッドのサブセットに電気的に接続されているヒューズの状態を非導通状態に変化させる工程と、を備える方法。
【請求項４】
半導体構造を形成する方法において、
半導体基板の上方にゲート電極とヒューズとを形成する工程と、
前記ゲート電極と前記ヒューズとの上方に誘電体層を形成する工程と、
前記誘電体層において、シールリングの第１の部分と、前記ゲート電極に対する接点と、前記ヒューズの第１の端子に対する第１の接点と、前記ヒューズの第２の端子に対する第２の接点とを形成する工程と、
前記誘電体層の上方に複数の相互接続層を形成する工程であって、該工程は、前記複数の相互接続層を通じて連続して延びるとともに前記シールリングの前記第１の部分に接続される前記シールリングの第２の部分を形成する工程を含み、前記シールリングは、前記複数の相互接続層のうちの１つ以上の相互接続層を通じて前記第２の接点に接続される、前記工程と、
前記複数の相互接続層の上方に相互接続パッドを形成する工程であって、該相互接続パッドは前記複数の相互接続層を通じて前記第１の接点に接続される、前記工程と、を備える方法。
【請求項５】
半導体構造を形成する方法において、
半導体基板上に複数のヒューズを形成する工程と、
前記前記半導体基板と前記複数のヒューズとの上方に複数の相互接続層を形成する工程と、
前記複数の相互接続層の上面に複数の相互接続パッドを形成する工程と、
シールリングを形成する工程であって、該シールリングは、前記半導体基板と、前記複数の相互接続パッドと、前記複数のヒューズとに形成された能動回路を包囲しており、前記複数のヒューズの各ヒューズは、前記複数の相互接続パッドの対応する相互接続パッドと前記シールリングとの間に結合されており、前記複数のヒューズの各ヒューズが導通状態にあるとき、該ヒューズは対応する相互接続パッドを前記シールリングに電気的に接続する、前記工程と、
前記複数のヒューズの各ヒューズが導通状態にあるときに、前記シールリングを通じて、また前記複数のヒューズの各々を通じて前記複数の相互接続パッドの各々に電流を提供し、前記複数の相互接続パッドの各々の上に導体層を電気めっきする電気めっき工程と、
前記電気めっき工程の後、各ヒューズの状態を導通状態から非導通状態へ変化させる工程と、を備える方法。